(57)【要約】      （修正有）【課題】個人情報を保存するＩＣチップと人の毛髪を保存する毛髪収納部を設けて、何時でも個人の情報と遺伝子の確認ができる毛髪保存ＩＣカードを提供する。【解決手段】個人の情報を記憶するメモリー部８と、マイクロプロセッサ部９と、データ入出力部１０とから構成されたＩＣチップ２を内蔵したカードの表面に、凹溝部を設けて、ここに毛髪３を入れてから蓋部６で閉じて密閉できるようにした毛髪収納部４を形成し、必要に応じて個人情報と遺伝子情報を取り出すことができるものである。【選択図】図１
0003195185.tif 000002
【実用新案登録請求の範囲】
【請求項１】
個人の情報を記憶したＩＣチップを内蔵したカードに、毛髪を収納する毛髪収納部を形成したことを特徴とする毛髪保存ＩＣカード。
【請求項２】
毛髪収納部がカードに凹溝部を形成し、この凹溝部の開口部分を蓋部またはシールで塞いで密閉したことを特徴とする請求項１記載の毛髪保存ＩＣカード。
【考案の詳細な説明】
【技術分野】
【０００１】
本考案は、個人情報と毛髪を保存する毛髪保存ＩＣカードに関するものである。
【背景技術】
【０００２】
近年、遺伝子情報が個人の特定や親子関係の特定に利用されるようになってきた。個人が生きている間には口腔内の粘膜や毛髪から容易に遺伝子情報が得られるが、これらの情報は一般に書面に記載され、必要とする時まで保管されている。
【０００３】
しかしながら、外出先で遺伝子情報などの情報が必要になった場合などに直ぐに取り出せず、また死亡した後に、書面に記載された遺伝子情報が本当に本人のものであるか再確認できない問題があった。
【考案の概要】
【考案が解決しようとする課題】
【０００４】
本考案は上記問題を改善し、個人の情報を記憶するＩＣチップと人の毛髪を保存する毛髪収納部を設けて、必要に応じて何時でも個人の情報と遺伝子の確認ができる毛髪保存ＩＣカードを提供するものである。
【課題を解決するための手段】
【０００５】
本考案の請求項１記載の毛髪保存ＩＣカードは、個人の情報を記憶したＩＣチップを内蔵したカードに、毛髪を収納する毛髪収納部を形成したことを特徴とするものである。  
【０００６】
本考案の請求項２記載の毛髪保存ＩＣカードは、請求項１において、毛髪収納部がカードに凹溝部を形成し、この凹溝部の開口部分を蓋部またはシールで塞いで密閉したことを特徴とするものである。
【考案の効果】
【０００７】
本考案に係る請求項１記載の毛髪保存ＩＣカードによれば、この所持者が毛髪保存ＩＣカードを持って外出し、外出先で事故にあって怪我をした時などに、メモリー部に保存してある所有者の氏名や生年月日、住所、経歴、血液型、体質情報、病歴、健康診断情報、墓地所在地、記念日などの個人データや、写真や３Ｄ立体画像、墓地風景の映像、墓石の写真、記念写真、記念映像などの画像データを取り出して的確、迅速に対応することができる。また死亡した後に、親子関係などの確認のために保存されている毛髪から遺伝子情報を取り出して、正確な遺伝子情報の確認を行なうことができる。
【０００８】
また請求項２記載の毛髪保存ＩＣカードによれば、毛髪収納部がカードに凹溝部を形成し、この凹溝部の開口部分を蓋部またはシールで塞いで密閉できるので毛髪を長期間保存することができる。
【考案を実施するための最良の形態】
【０００９】
以下本考案の実施の一形態を図１ないし図３を参照して詳細に説明する。図において１は毛髪保存ＩＣカードを示すもので、これは個人の情報を記憶したＩＣチップ２を内蔵したカードに毛髪３を収納する毛髪収納部４を形成したものである。ＩＣチップ２内には個人の情報を記憶するメモリー部８と、マイクロプロセッサ部９と、データ入出力部１０とから構成され、このデータ入出力部１０はデータの受信発信を行なうループアンテナ１１に接続されている。
【００１０】
個人の情報を記憶するメモリー部８は、個人データメモリー部と画像データメモリー部とから構成されている。また毛髪収納部４は図２に示すように毛髪保存ＩＣカード１の表面に凹溝部５が形成され、ここに毛髪３を入れてから開口部分を蓋部６で閉じて密閉できるようになっている。なお図３において１４はＩＣカードリーダーライタ、１５はパーソナルコンピュータである。
【００１１】
上記構成の毛髪保存ＩＣカード１は、予め所有者の粘膜や毛髪３から遺伝子解析して、その情報を図３に示すパーソナルコンピュータ１５に入力しておく。また遺伝子情報の他に、所有者の氏名や生年月日、住所、経歴、血液型、体質情報、病歴、健康診断情報、墓地所在地、記念日などの個人データをパーソナルコンピュータ１５に入力しておく。この記念日としては例えば七五三、入学式、成人式、結婚式、還暦や喜寿など人生の節目を保存しておく。また献体カードやドナーカードとしても利用することができる。また、所有者の写真や３Ｄ立体画像、墓地風景の映像、墓石の写真、記念写真や記念映像などの画像データをパーソナルコンピュータ１５に取り込んでおく。
【００１２】
また毛髪保存ＩＣカード１に形成した毛髪収納部４の蓋部６を外して凹溝部５内に短く切った所有者の毛髪３を収納してから、蓋部６を閉じて内部を密閉する。
【００１３】
次にデータを保存したパーソナルコンピュータ１５に、ＩＣカードリーダーライタ１４を接続してから、ここに毛髪保存ＩＣカード１を挿入する。次にパーソナルコンピュータ１５からＩＣカードリーダーライタ１４に個人情報のデータを送り、ここから毛髪保存ＩＣカード１に接触型の場合には、データ入出力部１０に端子を接触させデータを送り、また非接触型の場合には、ループアンテナ１１から無線でデータを送る。毛髪保存ＩＣカード１に送られたデータは、マイクロプロセッサ部９で処理されて個人データはメモリー部８の個人データメモリー部に記録され、画像データは画像データメモリー部に記録される。メモリー容量が大きい場合には高画質映像にも対応することができる。
【００１４】
従って、所有者が外出時に毛髪保存ＩＣカード１を持ち歩き、外出先で事故にあって怪我をした時などに、ＩＣカードリーダーライタ１４に挿着してパーソナルコンピュータ１５でメモリー部８に記録されている所有者の氏名や住所、血液型、病歴などの個人データを読み出し、的確、迅速に対応することができる。また所有者が死亡した後に、親子関係などの確認のために遺伝子情報を取り出せると共に、毛髪１５が保存されているので、正確な遺伝子情報の再確認を行なうことができる。また将来、遺伝子解析技術が進歩した時には、家族の病気予防につながることも期待できる。更に所有者の経歴や墓地所在地、墓地風景の映像、墓石の写真なども確認して葬儀や埋葬を円滑に進めることができる。
【００１５】
図４は本考案の他の実施の形態を示すもので、毛髪収納部４はＩＣカード１の裏面に凹溝部５が形成され、ここに毛髪３を入れてから裏面全体にシール１７を貼付して内部を密閉できるようにしたものである。
【００１６】
なお上記説明では生前に所有者の粘膜や毛髪３から遺伝子解析して、その情報を毛髪保存ＩＣカード１に保存する場合について示したが、死後、必要な場合に毛髪３から遺伝子情報を解析しても良い。また必要に応じて毛髪保存ＩＣカード１の表面に所有者の顔写真を貼付しても良い。また上記説明ではＩＣカードリーダーライタ１４をパーソナルコンピュータ１５に接続してデータを表示させる場合について示したが、スマートホーンやタブレット端末に接続してデータを表示させても良い。
【図面の簡単な説明】
【００１７】
【図１】本考案の実施の一形態による毛髪保存ＩＣカードの平面図である。
【図２】図１の毛髪保存ＩＣカードの断面図である。
【図３】データを毛髪保存ＩＣカードに入出力するシステム構成を示す説明図である。
【図４】本考案の他の実施の形態による毛髪保存ＩＣカードの断面図である。
【符号の説明】
【００１８】
１    毛髪保存ＩＣカード    
２    ＩＣチップ                                            
３    毛髪                                                  
４    毛髪収納部                                            
５    凹溝部                                                
６    蓋部                                                  
８    メモリー部                                            
９    マイクロプロセッサ部                                  
１０  データ入出力部                                        
１１  ループアンテナ                                        
１４  ＩＣカードリーダーライタ                              
１５  パーソナルコンピュータ                                
１７  シール                                                
【図１】
0003195185.tif 000003
【図２】
0003195185.tif 000004
【図３】
0003195185.tif 000005
【図４】
0003195185.tif 000006